(57)【要約】      （修正有）【課題】発光の集団的制御が容易かつ確実であって、会場や健康上の問題が少ない光演出具の制御方式を提供する。また、効果的な演出を行うことができる発光うちわの構成を含めた光演出具の制御方式を提供する。【解決手段】音波より成るか又は音波を搬送波とする発光制御信号を発信する制御送信信号作成装置１２０を備えた集中発光制御装置１００と、携帯容易であり電源２６０と発光体２４０と集中発光制御装置１００の発した信号を受信する受信装置２１０、２２０とを備え受信した信号に基づいて発光体２４０の発光態様、即ち発光の有無、強度、色、それらの時間的変化のパターンの少なくとも１つを所定のものとなるようにする発光制御回路２３０とを備えた発光演出具２００とより成り、集中制御装置１００が発光演出具２００の集団の少なくとも一部の発光の態様を一斉に変化させる。また、更に所定の者の行動を検出し、発光態様の変化に反映させる。【選択図】図１
2015002958.tif 000002
【特許請求の範囲】
【請求項１】
集団をなす多数の発光演出具と、該発光演出具の外部に設けた集中発光制御装置とを用い、
前記集中制御装置は音波より成るか又は音波を搬送波とする発光制御信号を発信する制御送信信号作成手段を備え、
前記発光演出具は携帯容易な大きさおよび重さを有し、電源と、発光体と、外部から発せられた発光制御信号を検出し受信する受信装置と、該受信装置が受信した受信信号に基づいて前記発光体の発光態様、即ち発光の有無、強度、色、それらの時間的変化のパターンの少なくとも１つを所定のものとなるようにする発光制御回路とを備え、
前記集中制御装置が前記発光制御信号を前記発光演出具の集団の全部または一部に対して送信することにより、前記発光演出具の集団の少なくとも一部の発光の態様を一斉に変化させることを特徴とする発光演出具の制御方式。
【請求項２】
前記集中発光制御装置は指向性のある送信音響変換器を備えて指向性のある発光制御信号を発生し、前記発光演出具の集団の一部のみに特定の発光制御信号を与えて、該集団の一部の発光態様を制御することを特徴とする請求項１に記載の発光演出具の制御方式。
【請求項３】
前記集中発光制御装置は複数個より成り、それぞれ指向性の強い発光制御信号を発信して前記発光演出具の集団の異なる部分に到達するようにし、前記発光演出具の集団の異なる部分が異なる発光態様をするように制御することを特徴とする請求項２に記載の発光演出具の制御方式。
【請求項４】
前記集中発光制御装置は、比較的指向性の弱い発光制御信号を発信する第１の装置と、比較的指向性の強い発光制御信号を発信する第２の装置を含み、前記第１の装置によって制御される発光演出具の集団全体のうちの一部に対しては更に第２の装置による制御を加えて異なる発光態様を与えることを特徴とする請求項２に記載の発光演出具の制御方式。
【請求項５】
前記発光演出具は、その運動の態様の少なくとも１つを検出し、運動信号として出力する運動センサを備えており、前記発光制御回路は、受信した前記発光制御信号と前記運動信号の双方に基づいて前記発光体の発光態様を制御することを特徴とする請求項１から４のいずれかに記載の発光演出具の制御方式。
【請求項６】
前記発光制御回路は、前記受信装置が前記発光制御信号を検出しない場合においても、前記運動信号のみに基づいて前記発光体の発光態様を制御することを特徴とする請求項５に記載の発光演出具の制御方式。
【請求項７】
前記発光制御回路は、前記運動信号が所定の値を超えたときは、前記集中発光制御装置が要求する所定の発光態様とは異なる発光態様となるように、前記発光体の発光を制御することを特徴とする請求項５又は６に記載の発光演出具の制御方式。
【請求項８】
前記制御送信信号作成手段は、指揮者の運動に基づく信号を検知し、該信号に基づき所定の発光態様の制御信号を作成する機能を有することを特徴とする請求項１から７のいずれかに記載の発光演出具の制御方式。
【請求項９】
前記制御送信信号作成手段は、指揮者が所持する発光演出具の運動に基づく信号を検知し、該信号に基づき所定の発光態様の制御信号を作成する機能を有することを特徴とする請求項１から８のいずれかに記載の発光演出具の制御方式。
【請求項１０】
前記発光演出具は、該発光演出具の相互間の距離を検知する手段と、前記検知された相互間の距離が所定値よりも小さいとき、一方の発光演出具の発光態様を他方の発光演出具の発光態様に倣って変化させる機能を備えることを特徴とする請求項１から９のいずれかに記載の発光演出具の制御方式。
【請求項１１】
前記発光演出具として、扇面の所定の部分を輝点として発光させることのできる発光うちわを用いることを特徴とする請求項１から１０のいずれかに記載の発光演出具の制御方式。
【請求項１２】
発光演出具の前記受信装置と前記発光制御回路の少なくとも要部は、前記発光うちわの柄と扇面に設けた骨格との結合部の内部に配置されていることを特徴とする請求項１１に記載の発光演出具の制御方式。
【請求項１３】
前記発光うちわの扇面は、前記結合部をほぼ中心とした円形をなし、該中心から広い角度に発光しうるものであることを特徴とする請求項１１又は１２に記載の発光演出具の制御方式。
【請求項１４】
前記発光演出具の受信装置は、該受信装置が受信した、演奏に用いられる楽器又は音響的効果を高めるための機材が発する音響を、前記発光制御信号として認識する機能を備えていることを特徴とする請求項１から１３のいずれかに記載の発光演出具の制御方式。
【発明の詳細な説明】
【技術分野】
【０００１】
本発明は、ある会場等に集合した、発光演出具の集団が行う発光の態様を無線の手段によって集中的に制御する制御方式に関する。
【背景技術】
【０００２】
例えば、音楽やその他のイベント等の集会において、多数集まった観客などのそれぞれが所持する発光演出具が、タイミングを揃えて発光すると、極めて高い演出効果が得られる。このような意図でなされた技術が、下記特許文献１に記載されている。また、従来このような目的には用いられて来なかった発光演出具の例が、下記特許文献２に記載されている。
【先行技術文献】
【特許文献】
【０００３】
【特許文献１】特許第３９１０５１３号公報
【特許文献２】特許第３５１４７４８号公報
【発明の概要】
【発明が解決しようとする課題】
【０００４】
特許文献１に記載の技術においては、制御信号を含む赤外信号を発光する発光部を観覧エリア内に設置し、多数の観客が携帯する演出具が赤外信号を受けてそれに含まれる制御信号を復調し、発光部が指示する所定の動作を行うものである。
【０００５】
しかし、赤外線の送受信装置は電子機器のリモコンなどで多用されているため比較的安価に入手できるメリットはあるが、一方では信号の直進性が高く、小さな遮蔽物があっても受信器への到達が妨げられ、一部制御できない演出具も残りやすい。その対策として、発光部を観客の頭上高所に設定しなければならず、会場の設営にとって好ましくない制約となる。また、赤外線が観客らの目に必然的に入るので、視覚障害への恐れもあり得るであろう。
【０００６】
また特許文献２には、うちわの柄の中にＬＥＤと電源電池を収納し、ＬＥＤの光を透明な骨に入射させ、広い扇面から多数の輝点として発光させるうちわの構造が記載されている。
【０００７】
そのうちわは使用者個々が発光させるもので、外部からの制御はない。しかし、発光演出具としては広い扇面からの発光など有利な面も備えている。そこで、これを集団演出具として利用することを図る必要がある。なお、特許文献１に例示されている発光演出具は、広い発光面を持つものではない。
【０００８】
本発明の目的は、第１に、発光の集団的制御が容易かつ確実であって、会場や健康上の問題がない、又は少ない光演出具の制御方式を提供することである。第２に、効果的な演出を行うことができる発光うちわの構成を含めた光演出具の制御方式を提供することである。
【課題を解決するための手段】
【０００９】
本発明の光演出具の制御方式は、下記の特徴を備える。
【００１０】
集団をなす多数の発光演出具と、該発光演出具の外部に設けた集中発光制御装置とを用い、
前記集中制御装置は音波より成るか又は音波を搬送波とする発光制御信号を発信する制御送信信号作成装置を備え、
前記発光演出具は携帯容易な大きさおよび重さを有し、電源と、発光体と、外部から発せられた発光制御信号を検出し受信する受信装置と、該受信装置が受信した受信信号に基づいて前記発光体の発光態様、即ち発光の有無、強度、色、それらの時間的変化のパターンの少なくとも１つを所定のものとなるようにする発光制御回路とを備え、
前記集中制御装置が前記発光制御信号を前記発光演出具の集団の全部または一部に対して送信することにより、前記発光演出具の集団の少なくとも一部の発光の態様を一斉に変化させることを特徴とする。
【００１１】
このように構成することによって、光演出具の制御を容易かつ確実にし、また会場に設置する上の問題や安全性の障害に対する懸念をなくすかあるいは小さくすることができる。
【００１２】
前記集中発光制御装置は指向性のある送信音響変換器を備えて指向性のある発光制御信号を発生し、前記発光演出具の集団の一部のみに特定の発光制御信号を与えて、該集団の一部の発光態様を制御することを特徴とする。
【００１３】
このように構成することによって、制御の態様の単純化を避けて変化を与え、光による演出効果を高めることができる。
【００１４】
前記集中発光制御装置は複数個より成り、それぞれ指向性の強い発光制御信号を発信して前記発光演出具の集団の異なる部分に到達するようにし、前記発光演出具の集団の異なる部分が異なる発光態様をするように制御することを特徴とする。
【００１５】
このように構成することによって、光による演出効果を光演出具のある場所により異ならせ、更に高めることができる。
【００１６】
前記集中発光制御装置は、比較的指向性の弱い発光制御信号を発信する第１の装置と、比較的指向性の強い発光制御信号を発生する第２の装置を含み、前記第１の装置によって制御される発光演出具の集団のうちの一部に対しては更に第２の装置による制御を加えて異なる発光態様を与えることを特徴とする。
【００１７】
このように構成することによっても、光による演出効果を場所によって多様化することができる。
【００１８】
前記発光演出具は、その運動の態様の少なくとも１つを検出し、運動信号として出力する運動センサを備えており、前記発光制御回路は、受信した前記発光制御信号と前記運動信号の双方に基づいて前記発光体の発光態様を制御することを特徴とする。
【００１９】
このように構成することによって、光による演出効果に更なる多様な変化を与えることができる。
【００２０】
前記発光制御回路は、前記受信装置が前記発光制御信号を検出しない場合においても、前記運動信号のみに基づいて前記発光体の発光態様を制御することを特徴とする。
【００２１】
このように構成することによって、集中発光制御装置がない場合でも光による演出効果を得ることができる。
【００２２】
前記発光制御回路は、前記運動信号が所定の値を超えたときは、前記集中発光制御装置が要求する所定の発光態様とは異なる発光態様となるように、前記発光体の発光を制御することを特徴とする。
【００２３】
このように構成することによって、観客等の反応（発光演出具の使用者の意思の表現）を加味した光演出効果が得られる。
【００２４】
前記制御送信信号作成手段は、指揮者の運動に基づく信号を検知し、該信号に基づき所定の発光態様の制御信号を作成する機能を有することを特徴とする。
【００２５】
このように構成することによって、指揮者が発光演出具の発光態様を制御することができる。
【００２６】
前記制御送信信号作成手段は、指揮者が所持する発光演出具の運動に基づく信号を検知し、該信号に基づき所定の発光態様の制御信号を作成する機能を有することを特徴とする。
【００２７】
このように構成することによって、指揮者が発光演出具の発光態様を更に自由かつ直接的に制御することができる。
【００２８】
前記発光演出具は、該発光演出具の相互間の距離を検知する手段と、前記検知された相互間の距離が所定値よりも小さいとき、一方の発光演出具の発光態様を他方の発光演出具の発光態様に倣って変化させる機能を備えることを特徴とする。
【００２９】
このように構成することによって、多数の発光演出具の間である発光態様が順次伝播する効果を得ることができる。
【００３０】
前記発光演出具として、扇面の所定の部分を輝点として発光させることのできる発光うちわを用いることを特徴とする。
【００３１】
このように構成することによって、広い扇面を利用して発光させ、光による演出効果を高めることができる。
【００３２】
発光演出具の前記受信装置と前記発光制御回路の少なくとも要部は、前記発光うちわの柄と扇面に設けた骨格との結合部の内部に配置されていることを特徴とする。
【００３３】
このように構成することによって、発光うちわの外観をすっきりさせることができる。
【００３４】
前記発光うちわの扇面は、前記結合部をほぼ中心とした円形をなし、該中心から広い角度に発光しうるものであることを特徴とする。
【００３５】
このように構成することによって、視認できる発光の角度範囲を高め、光による演出効果を更に向上することができる。
【００３６】
前記発光演出具の受信装置は、該受信装置が受信した、演奏に用いられる楽器又は音響的効果を高めるための機材が発する音響を、前記発光制御信号として認識する機能を備えていることを特徴とする。
【００３７】
このように構成することによって、広い扇面を有効に利用し、受信感度を上げることができる。
【発明の効果】
【００３８】
発光演出具の集団的制御が容易かつ確実であって、制御できない演出具が残る可能性が小さい。また会場での制御信号発信装置の設置上の問題も比較的少なく、健康上の問題もない。また、多彩な発光演出効果を実現できる。また、本発明の方式に組み込む発光演出具に発光うちわを利用する場合には、特有の光による演出を行うことができるという効果がある。
【図面の簡単な説明】
【００３９】
【図１】実施例１のシステムのブロック図であり、（ａ）は集中発光制御装置を示し、（ｂ）は発光演出具を示す。
【図２】実施例３（発光演出具具体例１）を示し、（ａ）は正面図、（ｂ）は側面図である。
【図３】実施例３（発光演出具の具体例１）の骨格を示し、（ａ）は正面図、（ｂ）は側面図である。
【図４】実施例３（発光演出具の具体例１）の扇面板を示す正面図である。
【図５】実施例４（発光演出具の具体例２）を示し、（ａ）は正面図、（ｂ）は側面図である。
【図６】実施例４（発光演出具の具体例２）の骨格を示し、（ａ）は正面図、（ｂ）はその放射骨の１本についての側面図、（ｃ）は同じ位置の放射骨の変形例を示す部分正面図である。
【発明を実施するための形態】
【００４０】
制御方式の実施例１、実施例２と、本発明に用いる発光演出具の２つの実施例について、以下図面に基づいて順次説明する。
【実施例１】
【００４１】
図１は実施例１のブロック図で、本発明は（ａ）に示す集中発光制御装置１００と、（ｂ）に示す発光演出具２００の２種類の装置から構成される。
【００４２】
集中発光制御装置１００は、発光演出を必要とするイベントなどが行われる会場や場所に固定的または半固定的に設置されるものである。主として主催者側で操作されることを想定した装置で、発光演出具２００が行う発光の態様、即ち発光の有無や点滅、強度、色、それらの時間的変化のパターンのうちの少なくとも１つを主催者側が意図する所定のものとなるように制御するため、無線の発光制御送信信号を発信する動作を行う。
【００４３】
操作装置１１０は、操作者（主催者側）が、自らの実時間的な操作によって、あるいは事前のプログラミングによって発光制御送信信号を作成する装置で、そのためのスイッチ類やキーボードやパソコン等の機器を含む。その信号出力を受けた制御送信信号作成回路１２０は、所定の信号を音波に乗せて（例えば搬送波となる超音波を所定の信号で変調することによって）、発光制御送信信号として送信用音響変換器１３０（超音波トランスデユーサやスピーカ等の送波器から成る）から出力する。制御送信信号作成手段１２０（例えば回路的な手段が用いられる）と送信音響変換器１３０は併せて制御送信信号作成装置を形成する。
【００４４】
音響出力は、音圧が過大でなければ健康上の悪影響はない。
音波としては、イベントの音響効果に影響を与えたくない場合には、可聴域よりも高い周波数を持つ超音波が適している。即ち発光の点滅や色指定を行うための制御信号によって、搬送波である超音波の送信出力を変調する。
【００４５】
超音波は比較的指向性が高いが、赤外線の発光器ほどではない。使用する周波数や送信音響変換器の構成によって指向性の程度を鋭くしたり弱めることができる。例えば音響変換器を平面上に配列して同じ位相で駆動すれば鋭くなり、１個だけ用いたり、比較的低周波にすれば指向性は弱くなる。指向性の程度や他の物体により遮蔽される程度は様々であるが、赤外線（光線）を用いるよりは設置場所等の制約が少なく、また目的に応じて調節も可能である。
【００４６】
場合によっては発光制御送信信号として、可聴域の周波数を持つ音波を用いることも可能である。例えば演奏音に紛れ込ませた狭い帯域の音波を検出する。また、会場で用いられる重低音スピーカーの発生音を検出してもよい。また、演奏用の一部の楽器の音（特定の周波数の音、又は打楽器の音など）や、他の効果音を与える器具から発生する音そのものを発光制御信号として発光演出具に認識させるようにしてもよい。
【００４７】
また、音波は水中でも用いることができる。例えば、プールの水中に送信音響変換器１３０を沈め、水中ショー（シンクロナイズドスイミング等）の演者に発光演出具２００を持たせ、その発光態様を音波により制御する。この制御用音波信号は水上の観客には漏れにくいので、使用周波数の自由度が高い。
【００４８】
発光制御送信信号としての音波信号は、集中発光制御装置１００から発光演出具２００の集団に向けて発信される。
【００４９】
発光演出具２００は、個々の使用者（例えば観客等の参加者）によって携帯されることを想定した発光器具で、制御送信信号が含まれる電波を受信する受信音響変換器２１０（超音波トランスデューサやマイクロフォン等の受波器より成る）、受信信号を復調して制御出力信号を抽出する受信回路２２０、その出力である発光制御信号によって発光体２４０の発光態様を制御する発光制御回路２３０、例えばＬＥＤ等である発光体２４０を含む。２６０は電源で、例えば軽量の電池であり、各回路および発光体に電力を供給する。なお受信音響変換器２１０と受信回路２２０は併せて受信装置を構成する。発光体２４０は複数であってもよく、それらの発光色が異なっていてもよい。電源２６０は、発光演出具２００内の必要箇所に電力を供給する。
【００５０】
運動センサ２５０は発光演出具２００の一部に取り付けられた、加速度センサあるいは角速度センサ、あるいはひずみセンサや力センサ（例えば力センサとして、柄など持ち手の部分に貼って設けることができるフィルム状の圧力センサがある）であり、発光演出具２００に加えられる運動の種類（併進運動か、回転運動か、またその運動や回転軸の方向）や強度に応じた信号、あるいは運動による発光演出具２００の変形、又は腕から発光演出具２００に伝わる力等の情報の少なくとも１つを運動信号として出力する。
【００５１】
この運動信号は上記の外部から来た発光制御信号と共に発光制御回路２３０に入力され、その内部で両者が判定され、運動信号が所定の強度よりも強いか、運動に所定の特徴があるとき（例えば発光演出具が強く振られる、特定の軸回りに回転させられる、又は持ち手を握る力が変化するなど）には発光の態様を外部からの制御とは異なるかあるいは更に変調した態様に変化させる。
【００５２】
この構成により、例えば、音楽演奏に観客が共感し、それを表現したい場合、発光演出具を強く振るとか強く握るなどすれば、発光の強度を増したり、発光のリズムをより細かくする変調を加えて、使用者の感情や意思を表明することができる。もちろん外部からの制御信号がなくても、運動センサ２５０のみで発光態様を制御することも可能としておく。
【００５３】
＜実施例１の変形例１＞
集中制御装置１００の操作装置１１０や制御送信信号作成手段１２０にイコライザー機能を含ませ、その出力による発光制御を行わせる。即ち、音源からの音響信号（周波数、音量等）に基づいて制御信号を作成し、又は設定済みの制御信号を修正する。例えば、音響信号の周波数帯域が低域（例えば１〜１０Ｈｚ）でかつ所定の音響レベル以上ならば発光演出具２００に青色を発光させ、より高い帯域（例えば１０〜１００Ｈｚ）でかつ所定の音量レベル以上ならば緑色を発光させ、更に高い周波数が強勢となれば赤色を発光させるプログラムを組んでおく等である。点滅の制御もよい。上記音響信号は、ＣＤや楽曲メモリー等から事前に入力し記録したものでもよいし、演奏会場からマイクロフォン等で実時間的に検出したものでもよい。このようにすれば、曲想にマッチした発光制御を行うことができる。
【００５４】
＜実施例１の変形例２＞
また操作装置１１０や制御送信信号作成手段１２０は楽曲中の例えば音声信号を抽出して分析する機能を備え、歌曲のうちの通常部が歌われている時間帯では発光演出具２００に青色を発光させ、サビの部分であると検出されたら発光を赤色とかピンク色で行わせる、あるいは点滅の周期を変えるといったことも可能である。この音声信号も、記録された音源からあらかじめ得て登録しておいてもよいし、イベントから実時間で得てもよい。このようにすれば、歌手の感情をより高めて聴衆に伝えることもできる。
【実施例２】
【００５５】
次に、図面を用いないが、実施例２について述べる。本例は、送信音響変換器１３０に指向性の適度に強い音波を発信させるものを用いて、発光制御送信信号が、発光演出具の集団の全部ではなく一部のみに到達するようにしたものである。こうすることにより、発光演出具の一部に対して、他（残部）と異なる発光態様を与えて、光による演出効果に場所により異なる特徴を与えて変化をつけることができる。また送信音響変換器の方向を動かして、制御信号が作用する発光演出具の集団を時間とともにずらしてもよい。
【００５６】
通常、スピーカ等の音響変換器で指向性があるとされるものは、その中心軸方向で音圧が最も強く、音響変換器の発音中心を等距離で取り巻く測定点の方向が中心軸を外れるほど音圧が低下する。音圧曲線（レーダーチャート）は、発音点を長軸端とするほぼ楕円形をなすか、発音点を尖点とし、中心軸上に鈍頂点を有する水滴状をなす。音圧が中心軸上の半分（−３ｄＢ）となる中心軸の両側２方向の間の角度を半値幅とし、指向性を表す指標とする場合がある。角度が半値幅の外になると、一般に音圧は急激に減少する。
【００５７】
指向性は、使用する周波数、音響変換器の構造、同種変換器のアレイ配置、反射器の併設等の条件により異なり、無指向性とされるものでは音はスピーカの周囲及び背後まであまり変化なく伝わる。指向性とされるものは例えば放射角１５０°以内であり、超指向性とされるもの（超音波を使用）には２０°〜３０°のものもある。（この放射角は体感によって表されたものであり、上記半値幅とは正確に対応しないが、それぞれ指向性の目安となる角度であり、格別大きな差はないと考えられる。）
【００５８】
イベント会場において、通常、観客席は舞台の周囲にほぼ平面的に大きな角度（９０°〜３６０°）で広がっているため、水平方向の指向性が重要である。（観客席は舞台方向に降り傾斜していたり、２、３階席がある場合もあるが、垂直方向の角度は比較的小さいので、考慮しなくてもよい場合は多いと考えられる。）
【００５９】
このようにほぼ平面的に広がった観客が所持する発光演出具２００の総数に対し、その一部のグループのみの発光態様に変化を与えようとする場合、そのグループに属する発光演出具２００の個数（発光演出具２００の受信音響変換器２１０の不適切な向きによる受信感度不足などの原因によって受信音響変換器２１０の感度が低下して受信が不成功となる場合も個別には考えられるから、発光演出具２００が正しい状態（向きなど）にあれば受信可能となるエリア内に存在する発光演出具２００の数）は、光演出効果の観点から、上限は総数の７割程度、下限は総数の１割程度であろう。５割から２割の範囲であることも好ましい。
【００６０】
制御送信信号を送信する送信音響変換器１３０は、例えば舞台上に設置したり、舞台よりも奥の方などに設置したりされるであろうが、音響変換器２００が既述のような範囲の指向性（半値幅や呼称の放射角が例えば２０°〜１５０°の範囲）を持てば、観客席が舞台の周囲を例えば９０°から３６０°の間のいずれかの角度で取り巻くものとして、好ましい部分発光的光演出効果が得られることが明らかである。
【００６１】
また、指向性を有する送信音響変換器１３０の向いている方向（設置角度）を時間と共に変更することにより、他と異なる発光態様をなす一部のグループが、観客席の内部を移動するような効果を得ることができる。また、角度変化だけでなく位置を変えてもよい。例えば、前方に強い指向性を有する音響変換器１３０を舞台の前縁付近に置き、音圧が最強となる方向をほぼ正面に向けたまま観客席の前列に沿って、レール（直線又は曲線状）の上などを移動させるようにしてもよい。
【００６２】
＜実施例２の変形例１＞
指向性のある音波を発信する集中発光制御装置１００を複数個用い、それぞれに発光演出具２００の異なる集団を受け持つと共に異なる信号で制御させるようにすると、光による演出効果に顕著な特異性を与えることができる。
【００６３】
＜実施例２の変形例２＞
指向性の少ない音波を発信する集中発光制御装置２００と、指向性の強い集中発光制御装置２００とを併設して用い、両者の制御内容を異ならせておく。この構成により、例えばほぼ一様な発光を行っている発光演出具の集団の一部分だけに、他と異なる態様の発光を与え、光演出効果にまた更なる多様性を与えることができる。ただし、発光演出具２００の一部は異なる制御信号を含む電波を受信することとなるので、受信回路２２０や発光制御回路２３０は異なる信号の双方に対応できる構成とする。
【実施例３】
【００６４】
＜発光演出具の具体例１＞
図２〜４は、発光演出具２００の具体例１の構造を示すものである。図２（ａ）は全体の正面図、（ｂ）はその側面図、図３の（ａ）は骨格の正面図、（ｂ）はその側面図、図４はその扇面板の正面図である。
【００６５】
発光演出具２００は、スティック状やペンライト状、あるいはその他の任意の形態であってもよいが、本実施例のように発光うちわの形態とすることもできる。発光うちわは発光する扇面が大きいので、小型の発光演出具よりも光演出効果が大きい。まずその基本的な構造（そのかなりの部分は特許文献２に記載された発光うちわとの共通性がある）を述べ、その中で本実施例特有の構成も説明する。
【００６６】
図２及び３において１はうちわの骨格であり、アクリル樹脂等の透明な材質から成形され、その主要部は厚さの大きい骨格基部１ａ（正面図の外形は左右が尖った楕円形をなす）、その上方の基部上端１ｃから、それよりもやや厚さの薄い多数の放射骨１ｇ（それらの中間は部材のない窓部１ｈである）、その先端を結ぶほぼ円形の縁部材１ｆより成っている。骨格基部１ａの部分には、その両面に多数の浅い凹部１ｊがあり、それらの中間部は疑似骨１ｋとして残っている。放射骨１ｇ、疑似骨１ｋ、凹部１ｊの放射中心となる部位近辺に光入射部１ｂが切り込まれ、その左右に取付部１ｄ，飾りの長穴１ｉが形成されている。骨格１は光源から発する光の主要な導光体となっている。
【００６７】
うちわの柄４は扇面を挟む２つの部材で構成され、骨格１の下部を挟んで組み立てられる。図の下方では柄４は円筒形に組み上げられ、内部に発光演出具２００の電源となる単４型等の電池３ｅが収容される。上方の左右に膨大した形状の結合部４ａは、その内部のピン状突起（図示省略）と骨格１の取付部１ｄの固定穴１ｅとを嵌合させて、骨格１と強固に結合される。
【００６８】
結合部４ａの内部空間には、図１の発光体２４０となるＬＥＤ３ａ、また骨格１の一方の側に重なるように発光制御回路２３０が収納される。受信回路２２０の配置は図示されていないが、発光制御回路２３０と一体化されていてもよい。受信音響変換器２１０も図示されていないが、小型のマイクロフォンや超音波の受波器を柄の結合部４ａの外側、骨格１、扇面板２の一部のいずれかに設ける。
【００６９】
なお、発光体２４０に相当するＬＥＤ３ａは１個のみ図示されているが、その発光色は単色とは限らず、複数色であることが望ましい。即ち、１個のパッケージ内に発光色の異なる複数個のＬＥＤチップを内蔵させてもよいし、発光色の異なるＬＥＤチップを内蔵したパッケージを近接させて配置し、発光体２４０としてもよい。光源の各色は、発光制御回路２３０によって独立に発光を制御される。
【００７０】
ＬＥＤ３ａの各端子、直列にされた電池３ｅ上端の正極、同じく電池３ｅの下端の電池バネ３ｆからメインスイッチ機構を経由して柄４の内部を上方に伸びる負極リード線３ｄの上端は、いずれも発光制御回路２３０に接続している（詳細構造は図示せず）。
【００７１】
柄４の下端に嵌めこまれたキャップ５は電源のメインスイッチを兼ねている。電池を収納後キャップ５を回動すると、その内部突起５ｂと柄４の下端に設けたカム溝との作用でキャップ５の内部のバネ台座５ａに嵌めた円錐状のコイル形に巻かれた電池バネ３ｆと負極リード線３ｄの下端が接触し電源回路が閉じる。逆に回すと電源が切れる。なおキャップ５の下端に設けた吊輪部５ｃは、紐や鎖などを通してうちわを首や手首に掛けておくためのものである。
【００７２】
光源ＬＥＤ３ａの発光部は光入射部１ｂ部で骨格基部１ａの厚みの中央に位置し、光束は骨格１の内部に入射し、放射状に扇面全体に広がる。その過程で骨格１に断面変化のある部分、特に急激に断面が縮小変化している部分があると、そこから外部に放射されて輝く。図２の各輝点は主な発光点となる断面減少部位を示す。輝点６ａは凹部１ｊの下端、輝点６ｂは基部上端１ｃから放射骨１ｇに移る部分、輝点６ｃは光が縁部材１ｆの外端に達した部分である。
【００７３】
多数の各主要な発光点は本例では数本の円弧上に密接して並んでおり、暗所ではこれら輝点が曲線状に連なって極めて美しい。なお他の各部や骨格の表面の凹凸部分からもいくらか発光する。扇面板２も発光を拡散する。これらはハローのように美しく見える。また横骨を設けても発光点を増すことができよう。なお骨格１の断面厚さや幅が骨格基部１ａから縁部材１ｆに向けて段階的に小さくなることは、発光上もうちわの強度上も好都合である。
【００７４】
光源ＬＥＤ３ａの発光は強いため、直接目視すると眩しさを感じることがある。柄４はＬＥＤ３ａの両側を包んでいるので、その材質の光透過性を選択することによってその難点を克服できる。すなわちＬＥＤ３ａを覆う部材（本例では結合部４ａ）の材質に不透明なものを用いてもよいが、光減衰性の、すなわち透明ではあるが暗色の樹脂材料で成形すると眩しさが適度に抑制され、しかも光源の存在を明示して更なる美的効果を加えることもできる。
【００７５】
透明又は半透明の薄いフィルムあるいはシート状である扇面板２は放射骨１ｇと縁部材１ｆの両面に貼られ、表面には模様２ａを有する。これはうちわの扇ぎ動作による風起し面である他、明所でのうちわの美的効果を発揮し、また暗所では扇面の発光を極力妨げない役割を有する。透明なホログラムシートが最適であった。
【００７６】
運動センサ２５０の配置については、本例では図示を省略したが、発光制御回路と同様に柄４の膨大した取付部１ｄの内部空間に配置するのが最適である。しかし、もし運動センサがうちわを強くあおぐことによる扇面のたわみを検出する薄膜状のひずみセンサである場合には扇面板２の上面に設けてもよいし、柄４の握りの強さを検知する力センサの場合には柄４に配置してもよい。またＬＥＤ３ａは複数個を設け、それらの発光色を異ならせたり、発光の態様を別個に制御し、光演出効果を増してもよい。
【００７７】
運動センサ２５０として、圧電性を有する膜又は薄板（発光を妨げないよう透光性であることが好ましい）を扇面板２の少なくとも一部として用いることが考えられる。この扇面板は、うちわが強く振られて扇面がたわんだことを検出するように構成される。また圧電性のある扇面板を用いると、発光制御信号となる音波を受信する受信音響変換器２１０として機能させることができる。大面積が利用できるので高い感度が期待できる。１枚の圧電板が運動センサ２５０と受信音響変換器２１０の両機能を兼ね備えればなおよい。あるいは扇面の片側ずつで両機能を分担させてもよい。
【００７８】
なお、ＬＥＤ３ａの発光は、集中発光制御装置１００の発する発光制御信号や、発光演出具自身の有する運動センサにより制御されるばかりでなく、使用者の単純なスイッチ操作やその他の信号によっても可能としておくことが望ましい。
【実施例４】
【００７９】
＜発光演出具の具体例２＞
図５は発光演出具２００の具体例２の構造を示す。（ａ）は全体の正面図、（ｂ）は側面図である。また図６はその骨格であって、（ａ）は正面図、（ｂ）と（ｃ）はある１つの放射骨の断面変化の２つの形態例を示す部分断面図と部分正面図である。
【００８０】
本例も発光うちわであって、透光性のある骨格１と透光性のある扇面板２を用い、柄４に電源を内蔵する点で図２〜４の発光演出具の実施例１と共通性がある。前例との主なる相違点は、柄４と骨格１の結合部４ａが円板型（リング型）の扇体の中央部にあり、その内部から正面図のほぼ全方位（柄の占める方向のみを除く）に向けて広い角度にわたって発光体の発光を行わせることである。なお前例と共通性のある構成要素には共通する符号を付した。
【００８１】
効果上の差異は、まず柄４の上端が円板型の扇面の中央付近まで達しているため、前例と同じ本数の電池を内臓させても、うちわの上下方向の全長がより短くてすみ、うちわが全体としてコンパクトになること、また発光の全方位を複数に分割してそれぞれの角度範囲を別個又は複数組のＬＥＤ３ａに受け持たせたため、それらＬＥＤを全て点灯すれば広い範囲に強い発光が得られ、外部からの視認性も高く、優れた光演出効果が得られることである。
【００８２】
まず各放射骨１ｇが単純な長い直方体的形状である場合、本例の発光部位となる輝点は２種類で、円形の骨格基部１ａの外周にある放射骨１ｇの中間点である６ｂと、放射骨１ｇの延長上で縁部材１ｆの外端である６ｃである。なお、結合部４ａの外径は骨格基部１ａの径よりもやや小さくして、輝点６ｂの発光をよく見せることが望ましい。
【００８３】
また放射骨１ｇに断面変化を与えて、骨の途中から発光させることもできる。図６（ｂ）は扇面の厚さ方向に階段状の断面変化を与えた場合、図６（ｃ）は幅方向に断面変化を与えた形状を示す。いずれの場合も、放射骨１ｇの中間で断面が急変する点６ｄから骨内を通る光が漏れ、それぞれが輝点となる。
【００８４】
リング状の扇面に生じる輝点６ｄは、図６（ａ）に示すように、その連なりが図形５０を想起させる。本図の場合は３個の同形の菱形が視認される。これら図形５０を個別に照明している３個のＬＥＤ３ａを適当な繰り返し速度で順次切り替えて点灯させるときは、扇面上で図形５０も順次点滅し、そのため図形５０が回転しているようなアニメーション的な効果が得られる。ＬＥＤ３ａの個数と図形５０の個数を増せば、動きはより滑らかになる。個数が２個のときは交互点灯となる。
【００８５】
発光制御回路２３０（及び受信回路２２０）、加速度や角速度を検出する運動センサ２５０は、図５（ａ）に示すように、柄の結合部４ａの内部に収納することが好ましい。また実施例１や実施例３において説明したように、柄に圧力センサを設けたり、扇面に圧電性の膜を設けて、広い扇面を活用してもよい。
【００８６】
また、輝点の他の形成構造として、図示しないが、骨格基部１ａの径を結合部４ａの外径よりも大きくし、生じたリング状のスペースに浅い凹部を設けてもよい。また骨格１を放射骨のない透明な平板とし、この平板に図形を彫り込んで発光のための断面変化を与えるようにしてもよい。
【実施例５】
【００８７】
＜発光演出具の具体例３＞
演奏用の一部の楽器の音（特定の周波数の音、又は打楽器の音など）や、他の効果音を与える器具から発生する音そのものを発光制御信号として発光演出具に認識させるようにしてもよい。この場合には、別個に制御送信信号作成回路１２０がたとえ伴わなくとも、楽器や機器自体の有する発音機構が制御送信信号作成手段１２０と送信音響変換器１３０併せた制御送信信号作成装置に該当し、楽器や機器がそのまま集中発光制御装置１００となる。この機能を発光演出具２００の集団が備える場合、別個に集中発光制御装置がなくとも光演出効果が得られる。もちろん集中発光制御装置１００を併設して利用してもよい。
【００８８】
楽器などの音を発光制御信号として認識する発光演出具２００は、例えば打楽器（和太鼓やパーカッション楽器など）の特有の音を波形や周波数成分によって識別し、その固有の音を受信すると光り方を変え、音響的効果に加えて視覚的効果を生むことができる。
【００８９】
あるいは、楽器や歌手の発する音を、異なる音階で認識し発光するように設定した発光演出具の小グループを観客席のエリアごとにまとめて配置しておくと、歌や演奏の音階の変化に伴って発光する小集団が移り変わるので、音曲の進行や変化に応じた新しい光演出効果を得ることができる。
【００９０】
なお、同様な効果は、既述の＜実施例１の変形例１＞や＜同変形例２＞のように、指向性のある発光制御信号を発信する集中発光制御装置１００に、異なる音階を認識（実時間の音検出又は音曲に基づいたプログラムによる）して異なる発光制御信号を送信させ、発光演出具２００の異なる小集団を発光制御することによっても達成可能である。
【実施例６】
【００９１】
イベント会場の多数の観客がそれぞれ持っている発光演出具２００の発光態様を、観客が目にする一人又は少数から成る指揮者（例えばイベントの主役となるアーティストや歌手など、普通は主催者側が指定した要員が想定される）が自由に制御することができる構成である。指揮者は運動センサと検出された運動情報を外部に送信する送信機を携帯するか身体に装着する。送信する送信機と集中発光制御装置１００の間の信号伝達は、電波、音波、あるいは光（例えば赤外線）等の無線手段が移動時の制約が少ないので好ましいが、有線によってもよい。
【００９２】
集中発光制御装置１００の制御送信信号作成手段１２０は、発信機の信号を受信する手段と、その信号に含まれる運動情報を判別する手段を備え、その運動情報に基づいて、観客の所持する発光演出具２００に対し、所定の制御送信信号を送信する機能を有する。即ち、信号出力が変化したことを検出すると、集中発光制御装置１００は予め登録してある発光パターンを選択して発光演出具２００が発光するように制御を行う。
【００９３】
運動センサ（一般にはモーションセンサとも呼ばれている）における「運動」は広い概念を有する。その数例を示す。まず、〔実施例１〕の説明において述べたような、装着された物体に作用する加速度、角速度、ひずみや力（それぞれ１軸から３軸方向で検出可能）を検知するセンサがある。
【００９４】
また人体の発する赤外線を検出して、位置情報まで検出可能な受光型の焦電センサも利用できる（センサは例えば固定位置に置く）。また赤外線や電磁波（マイクロ波等）を発射し、人体からの反射光又は反射波を検出する反射型のセンサもある。更に対象物（人体）からの反射光又は反射波の位相差を検出することによって、対象の位置やその変化を検出することが可能となる。また反射波の検出器をアレイ状に配置して、複数の対象物の運動を識別することもできる。
【００９５】
このような構成により、簡単な例を挙げれば、指揮者が加速度を検出する運動センサを仕込んだ指揮棒や杖、スティック等を持つか、指揮者自身の腕に運動センサを装着する。その杖等や腕を強く振って運動センサの出力がある閾値を超えると、全観客の所持する発光演出具２００の発光色を一斉に瞬時に赤く変えるといったような演出が容易に行える。また指揮者が舞台上を動いて所定の位置に来たとき、多数の発光演出具の発光態様を一斉に変化させることもできる。
【００９６】
また、指揮者自身も自ら発光態様を操作できる発光演出具を所持し、その発光演出具に運動センサを内蔵させて指揮者の動きを集中発光制御装置１００に送信する。そして、指揮者が予定した通りに又は即興的に行った発光の動作を集中発光制御装置１００が検出し、同じパターンで観客の発光演出具２００を同期的に発光させることができる。
【００９７】
また、指揮者が与えたきっかけによって生成された発光の制御信号を集中発光制御装置１００が発光演出具２００に向けて送信する際、指向性を備えた送信音響変換器１３０を用い、かつその指向性の方向を時間的に自動又は手動で変化させることにより、例えば、光の塊がイベント会場の端から端まで移動するように、スウィープ的又はウェーブ的に発光させることもできる。
【００９８】
なお、指揮者の持つ発光演出具には、加速度センサ等連続的に運動を計測する運動センサを敢えて内蔵せず、発光スイッチを押したことを集中発光制御装置１００に伝えるだけであっても、その信号送信装置が指揮者のスイッチ操作の運動を検出する簡易型運動センサとしての作用を有することになる。
【実施例７】
【００９９】
また、集中発光制御装置１００と発光演出具２００は、既述の実施例のいずれかを基本的機能として備え、それに加えて、指揮者や観客の所持する発光演出具２００自体に、相互間の距離に応じて発光態様を変化させる装置を搭載しかつ機能させることにより、発光演出効果を更に多彩にすることができる。
【０１００】
多数の発光演出具２００の相互間の連続的な距離変化を検出することはもちろん原理的に可能であるが、それが容易ではなければ、２つの発光演出具２００が接触したことを検出してもよい。この場合には、接触のあった発光演出具に急激な力や加速度やひずみが生じるので、発光演出具２００に備えられた運動センサ２５０が利用できる。
【０１０１】
一方は発光し、他方は未発光である（又は異なる発光形態〔例えば異なる発光パターンや色〕を呈していてもよい）２つの発光演出具２００が互いに接触し、あるいは所定の距離以内に接近したとき、例えば発光スイッチが手動操作されていて発光している発光演出具２００をマスターとし、その発光態様を発光操作がされていないスレーブとなる後者の発光演出具２００に伝えることが可能である。これは、（強制）発光操作によって発光態様が固定され、（強制）発光操作がなされていない場合は他の信号に従う受動的な発光態様を取る構成とすれば実現できる。この機能は、発光制御回路２３０に持たせる。
【０１０２】
この構成によると、指揮者が持つ発光演出具２００を最初のマスターとして、まず最前列の観客の持つ発光演出具２００（スレーブ）に対して発光色やパターンの伝達を行い、伝達を受けた観客は次に自分の発光演出具２００をマスターとし、後列の観客の発光演出具２００をスレーブとして同じ発光態様を伝達する。これが反復されると、会場の前縁から後方に向かって、所定の発光パターンや色がウェーブ状に移動し変化する効果が得られる。
【０１０３】
伝達に際し発光色や発光パターンを特定しておくには、制御送信信号作成手段１２０でその信号を作成し集中発光制御装置１００から各発光演出具２００に送信しておくか、又はあらかじめ各発行演出具２００の側で手動スイッチ等を用いて設定しておく。なお、各発光演出具２００がマスターの発光色や発光パターンを直接認識できるセンサを備えていてもよい。
【０１０４】
以上、発光制御信号の媒体として音波の利用について述べたが、発光制御信号の搬送波として、電波又は赤外線を用いることも可能である。電波、音波及び光線（赤外線）は、到達距離や範囲、指向性、遮蔽のされ易さ、他からの妨害、送信や受信装置の実現の容易性等についてそれぞれ得失がある。それぞれの特徴を勘案し、信号の媒体としてそれらのいずれかを用い、あるいは併用し得るようにしておき、状況に応じて切り替えて使えるように、集中発光制御装置と発光演出具を構成してもよい。また既述の諸実施例や各変形例の構成を組み合わせることによって、特徴ある発光演出効果を得ることができる。
【符号の説明】
【０１０５】
１  骨格
１ａ  骨格基部
１ｂ  光入射部
１ｃ  基部上端
１ｄ  取付部
１ｅ  固定穴
１ｆ  縁部材
１ｇ  放射骨
１ｈ  窓部
１ｉ  長穴
１ｊ  凹部
１ｋ  疑似骨
２  扇面板
２ａ  模様
３ａ  ＬＥＤ
３ｂ  抵抗器
３ｃ  正極板
３ｄ  負極リード線
３ｅ  電池
３ｆ  電池バネ
４  柄
４ａ  結合部
４ｂ  カム溝
５  キャップ
５ａ  バネ台座
５ｂ  内部突起
５ｃ  吊輪部
６ａ、６ｂ、６ｃ、６ｄ  輝点
５０  図形
１００  集中発光制御装置
１１０  操作装置
１２０  制御送信信号作成手段
１３０  送信音響変換器
２００  発光演出具
２１０  受信音響変換器
２２０  受信回路
２３０  発光制御回路
２４０  発光体
２５０  運動センサ
２６０  電源
【図１】
2015002958.tif 000003
【図２】
2015002958.tif 000004
【図３】
2015002958.tif 000005
【図４】
2015002958.tif 000006
【図５】
2015002958.tif 000007
【図６】
2015002958.tif 000008